(57)【要約】【課題】  本発明は、洋式トイレ使用時蓋及び便座の開閉に関するものである。通常は、使用時手によって蓋及び便座を開け使用している。不衛生で不快感がある。【手段】  蓋用ペダル（１）を踏むことにより蓋用ユニット（１Ａ）を通じ運動を蓋へ伝えることにより蓋（７）を開ける。蓋用ストッパー（Ｓ）に固定し、トイレを使用する。使用後は蓋用ペダル（１）を再度踏んで固定解除すると戻り装置（３）により閉位置へ戻る便座用ペダル（２）を踏むことにより便座用ユニット（２Ａ）を通じ運動を便座（８）に伝えることにより開ける。又、便座用ペダル（２）を踏むことにより、蓋用ユニット（１Ａ）に運動が伝わり、蓋（７）と便座（８）が同時に開く。便座用ストッパー（Ｓ２）に固定し使用する。使用後は便座用ペダル（２）を再度踏んで固定解除すると戻り装置（３）により便座（８）蓋（７）が閉位置に戻る。手を触れずに蓋及び便座が開閉できるようにした。【選択図】  図３
2005040553.tif 000002
【特許請求の範囲】
【請求項１】
蓋用ペダル（１）を踏むことにより、蓋（７）を開くことができる構造であること。
【請求項２】
便座用ペダル（２）を踏むことにより、蓋（７）と、便座（８）を同時に開くことのできる構造であること。
【請求項３】
蓋用ロット（９）蓋用ロット（９ａ）の接続に自在接続具（４）を設ける。蓋用ロット（９ｂ）蓋用ロット（１２）の接続に自在接続具（５）を設ける。
便座用ロット（１０）と便座用ロット（１０ａ）の接続に自在接続具（４ａ）を設ける。便座用ロット（１０ｂ）と便座用ロット（１２ａ）の接続に自在接続具（５ａ）を設ける。
上記のように、各接続部に自在接続具を設けることにより、蓋（７）及び便座（８）に開閉運動を円滑に伝えることのできる構造であること。
【請求項４】
長さ調節装置、蓋用ロット（９）の中間部及び（９ａ）と蓋用ロット（９ｂ）に長さ調節装置（１１）の伸縮継手を設ける。便座用ロット（１０）の中間部及び（１０ａ）とと便座用ロット（１０ｂ）に長さ調節装置（１１）の伸縮継手を設ける。
上記のように、長さ調節装置（１１）を設けることにより、取付便器を限定しない構造であるここと。
【請求項５】
戻り装置は、蓋戻り用バネ（３ａ）及び便座戻り用バネ（３ｂ）を設けることにより、各ペダル（１）（２）を踏んだ足を離すと、便座（８）蓋（７）が閉位置へ戻ることのできる構造であること。
【請求項６】
蓋（７）が開状態で蓋用ストッパー（Ｓ１）に固定でき使用後は足で踏んで解除できる構造であること。
【請求項７】
便座用ペダル（２）を踏むことにより蓋（７）と便座（８）が同時に開き便座用ストッパー（Ｓ２）に固定でき、蓋用ストッパー（Ｓ１）は使用しない。使用後は便座用ペダル（２）を再度踏んで固定解除できる構造であること。
【請求項８】
蓋用ペダル（１）蓋用ロット（９）（９ａ）（９ｂ）（１２）蓋用自在接続具（４）（５）及び長さ調整装置（１１）で構成される蓋用ユニット（１Ａ）は、便座用ペダル（２）便座座用ロット（１０）（１０ａ）（１０ｂ）（１２ａ）便座用自在接続具（４ａ）（５ａ）及び便座用長さ調節装置（１１ａ）で構成される便座用ユニット（２Ａ）は、単体で取付使用が、できる構造であること。
【発明の詳細な説明】
【発明の詳細な説明】
【技術分野】
【０００１】この発明は、洋式トイレの蓋及び便座に手を触れずペダルを踏むことにより開閉できる装置に関するものである。
【背景技術】
【０００２】従来、洋式トイレは一般家庭及び会社や病院など公共トイレの使用方法は、手によって蓋及び便座を開閉し使用している。
【発明の開示】
【発明が解決しようとする課題】
【０００３】従来の使用方法の問題点として、腰痛症で開けづらい。会社及び病院など公共の施設において、不特定多数で使用する場合、不衛生である。
本発明は、以上の問題点を解決し、洋式トイレの蓋及び便座に手を触れず容易に開閉できるようになされたものである。
【課題を解決するため手段】
【０００４】本発明は、蓋用ユニット（１Ａ）便座用ユニット（２Ａ）から構成される。蓋用ユニット（１Ａ）は、蓋用ペダル（１）と長さ調節装置（１１）付きの蓋用ロット（９）を接続し、蓋用ロット（９）と蓋用ロット（９ａ）を自在接続具（４）で接続し、蓋用ロット（９ａ）と蓋用ロット（９ｂ）を長さ調節装置（１１）で接続し蓋用ロット（９ｂ）と蓋用ロット（１２）を自在接続具（５）で接続し、蓋用ロット（１２）を蓋（７）に固定する。戻り装置（３）に蓋用ユニット（１Ａ）を取付長さ調節装置（１１）で各ロットの長さを調節する。便座用ユニット（２Ａ）は、便座用ペダル（２）と長さ調節装置（１１）付きの便座用ロット（１０）を接続し、便座用ロット（１０）と便座用ロット（１０ａ）を自在接続具（４ａ）で接続し、便座用ロット（１０ａ）と便座用ロット（１０ｂ）を長さ調節装置（１１）で接続し、便座用ロット（１０ｂ）と便座用ロット（１２ａ）を自在接続具（５ａ）で接続し、便座用ロット（１２ａ）を便座（８）に固定する。戻り装置（３）に便座用ユニット（２Ａ）を取付長さ調節装置（１１）で各ロットの長さを調節する。戻り装置（３）は、蓋戻り用バネ（３ａ）便座戻り用バネ（３ｂ）と蓋用クッションバネ（３ｃ）と便座用クッションバネ（３ｄ）及び蓋用ストッパー（Ｓ１）便座用ストッパー（Ｓ２）で構成され、蓋（７）便座（８）が戻ることのできるものである。戻り装置（３）は、床の材質に応じ床取付部（６）の方法により固定する。
【発明の効果】
【０００５】本発明を使用することにより、手を使用せず蓋及び便座が開閉できるため、接触回数が軽減されることから衛生効果が得られる。取付便器を限定しない。腰痛症や年配の方など容易に蓋及び便座の開閉できる。
【発明を実施するための最良の形態】
【０００６】以下、実施するための最良の形態を説明する。
使用材質は、耐水、耐腐食性とする。
（イ）蓋用ユニット（１Ａ）は、蓋用ペダル（１）と長さ調節装置（１１）付き蓋用ロロット（９）を接続し、蓋用ロット（９）と蓋用ロット（９ａ）を自在接続具（４）で接続し、蓋用ロット（９ａ）と蓋用ロット（９ｂ）を長さ調節装置（１１）で接続し、蓋用ロット（９ｂ）と蓋用ロット（１２）を自在接続具（５）で接続し、蓋用ロット（１２）を蓋（７）に固定する。蓋用開閉ユニットを、戻り装置（３）に取付け長さ調節装置（１１）で各ロットの長さを調整する。
（ロ）便座用ユニット（２Ａ）は、便座用ペダル（２）と長さ調整装置（１１）付きの便座用ロット（１０）を接続し、便座用ロット（１０）と便座用ロット（１０ａ）を便座用自在接続具（４ａ）で接続し、便座用ロット（１０ａ）と便座用ロット（１０ｂ）を長さ調節装置（１１）で接続し、便座用ロット（１０ｂ）と便座用ロット（１２ａ）を自在接続具（５ａ）で接続し、便座用ロット（１２ａ）を便座（８）に固定する。便座用ユニット（２Ａ）を戻り装置（３）に取付け長さ調節装置（１１）で各ロットの長さを調節する。
（ハ）戻り装置（３）は、蓋戻り用バネ（３ａ）便座戻り用バネ（３ｂ）とクッションバネ（３ｃ）（３ｄ）及び蓋用ストッパー（Ｓ１）便座用ストッパー（Ｓ２）で構成され、蓋（７）便座（８）が戻ることのできるものである。戻り装置（３）は床の材質により床取付部（６）の方法により固定する。
本発明は、以上の構成よりなるものである。
本発明を使用する場合は、蓋用ペダル（１）を踏むことにより蓋（７）が開き、蓋用ストッパー（Ｓ１）に固定し使用する。使用後は、蓋用ペダル（１）を踏んで固定解除すると蓋（７）は閉位置へ戻る。便座用ペダル（２）を踏むことにより蓋（７）と便座（８）を同時に開くことができ便座用ストッパー（Ｓ２）に固定し使用する。使用後は、便座用ペダル（２）を踏んで固定解除すると便座（８）と蓋（７）が戻り装置（３）により閉方向へ戻り、手を触れず容易に開閉できるようにしている。
【図面の簡単な説明】
【０００７】
【第１図】
取付状況の平面図
【第２図】
取付状況の正面図
【第３図】
取付状況の右側面図
【第４図】
各ペダルの斜傾図
【第５図】
戻り装置右側面図
【第６図】
戻り装置正面図及び断面図
【第７図】
長さ調節装置
【符号の説明】
【０００８】（１）蓋用ペダル、（２）便座用ペダル、（３）戻り装置、（３ａ）蓋戻り用バネ、（３ｂ）便座戻り用バネ、（４）蓋用自在接続具、（４ａ）便座用自在接続具、（５）蓋用自在接続具、（５ａ）便座用自在接続具、（６）床取付部、（７）蓋、（８）便座、（９）蓋用ロット、（９ａ）蓋用ロット、（９ｂ）蓋用ロット、（１０）便座用ロット、（１０ａ）便座用ロット、（１０ｂ）便座用ロット、（１１）長さ調整装置、（１２）蓋用ロット、（１２ａ）便座用ロット、（Ｓ１）蓋用ストッパー、（Ｓ２）便座用ストッパー
【図１】
2005040553.tif 000003
【図２】
2005040553.tif 000004
【図３】
2005040553.tif 000005
【図４】
2005040553.tif 000006
【図５】
2005040553.tif 000007
【図６】
2005040553.tif 000008
【図７】
2005040553.tif 000009